(57)【要約】【課題】留め付け対象物にガタなく留め付きながら、その留め付き力を経時的にも変化させることのないクリップを提供する。【解決手段】回動パーツＲには補助脚部４の受け部８ａが形成されており、留め付け対象物Ｐの取付穴Ｐａに雌パーツＦの挿入部１を挿入させた状態からのこの挿入部１内への雄パーツＭの脚部３の押し込みに伴なうこの受け部８ａに対する補助脚部４の押圧によって、回動パーツＲは所定角度分回動される。雌パーツＦの頭部２には回動パーツＲに形成された持ち上げ部８ｂへの被当接部２ｅが形成されており、回動パーツＲの前記回動に伴うこの被当接部２ｅに対する持ち上げ部８ｂの押圧によって、回動パーツＲと係合部１ｂとの距離を狭める向きに雌パーツＦが移動されるようになっている。【選択図】図７
2012180915.tif 000002
【特許請求の範囲】
【請求項１】
留め付け対象物に形成された取付穴に挿入される中空の挿入部と、この挿入部内への連通開口を備えた頭部とを有すると共に、この挿入部の一部を外側に前記取付穴に対する係合部を備えた弾性片部としてなる雌パーツと、
中心にこの雌パーツの挿入部内に前記連通開口を通じて押し込まれる脚部を備えると共に、この脚部の側方に補助脚部を備えてなる雄パーツと、
前記雌パーツの挿入部の基部側においてこの挿入部を回動軸とするようにこの雌パーツに組み合わされた回動パーツとを備え、
この回動パーツには補助脚部の受け部が形成されており、前記留め付け対象物の取付穴に雌パーツの挿入部を挿入させた状態からのこの挿入部内への雄パーツの脚部の押し込みに伴なうこの受け部に対する補助脚部の押圧によって、回動パーツが所定角度分回動されるようになっており、
前記雌パーツの頭部には前記回動パーツに形成された持ち上げ部への被当接部が形成されており、回動パーツの前記回動に伴うこの被当接部に対する持ち上げ部の押圧によって、回動パーツと係合部との距離を狭める向きに雌パーツが移動されるようになっており、
しかも、雄パーツの脚部には、雌パーツの挿入部内に形成された抜け止め部に対して係合される被抜け止め部が、この脚部の押し込み方向において多段をなすように形成してあることを特徴とするクリップ。
【請求項２】
回動パーツは雌パーツの頭部に向き合う側の面にその回動方向に沿ったリブ状をなす突出部を備えていると共に、雌パーツの頭部における連通開口の側方にはこの突出部を収める貫通穴が形成されており、前記突出部の一端部が受け部となっていることを特徴とする請求項１に記載のクリップ。
【請求項３】
回動パーツの突出部の他端部が持ち上げ部となっており、雌パーツの頭部の貫通穴におけるこの持ち上げ部に向き合った穴縁部が被当接部となっていることを特徴とする請求項２に記載のクリップ。
【請求項４】
回動パーツの突出部における受け部及び持ち上げ部は、この回動パーツの回動方向での突出部の長さをこの突出部の先端に向かうに連れて狭める傾斜を備えたカム面によって構成されていることを特徴とする請求項３に記載のクリップ。
【請求項５】
回動パーツにおける雌パーツの頭部に向き合う側の面と反対の面に、この回動パーツの回動方向に沿った突条が形成されていることを特徴とする請求項１〜請求項４のいずれか１項に記載のクリップ。
【請求項６】
雌パーツの挿入部内に所定位置より先に押し込まれた雄パーツの脚部が弾性片部の内側に接するようになっていることを特徴とする請求項１〜請求項５のいずれか１項に記載のクリップ。
【発明の詳細な説明】
【技術分野】
【０００１】
この発明は、雌パーツの挿入部を留め付け対象物に形成された取付穴に挿入した後、この挿入部に雄パーツの脚部を押し込むことにより、留め付け対象物を挟持してこれに留め付くクリップの改良に関する。
【背景技術】
【０００２】
頭部と弾性変形可能な脚部とを備えた雌部材と、この雌部材の頭部側からこの雌部材内に押し込まれる雄部材とからなるグロメット（クリップ）がある。（特許文献１参照）かかるグロメットにあっては、重ね合わせたパネルの取付穴に雌部材の脚部を挿入した後、雄部材の前記押し込みをなすことで、雌部材の脚部を拡開させ、この拡開された脚部と頭部との間で重ね合わせたパネルを内外から挟み付けるようになっている。しかるに、かかるグロメットにあっては、重ね合わせたパネルの厚さに応じて雌部材の脚部の拡開量が変わるためこれらパネルをグロメットを介してガタなく留め合わせることができる反面、前記厚さが変わるとそれに作用させる留め付け力にも変化を生じさせてしまうものであった。また、かかるグロメットにあっては、使用状態においては雌部材の脚部は拡開され続けられる、つまり、弾性変形され続けることから、クリープ現象により、長期に亘り前記留め付け力を一定に保ち難いところである。
【先行技術文献】
【特許文献】
【０００３】
【特許文献１】特許第４０９１８５９号公報
【発明の概要】
【発明が解決しようとする課題】
【０００４】
この発明が解決しようとする主たる問題点は、留め付け対象物にガタなく留め付きながら、その留め付け力を経時的にも変化させることのないクリップを提供する点にある。
【課題を解決するための手段】
【０００５】
前記課題を達成するために、この発明にあっては、クリップを、留め付け対象物に形成された取付穴に挿入される中空の挿入部と、この挿入部内への連通開口を備えた頭部とを有すると共に、この挿入部の一部を外側に前記取付穴に対する係合部を備えた弾性片部としてなる雌パーツと、
中心にこの雌パーツの挿入部内に前記連通開口を通じて押し込まれる脚部を備えると共に、この脚部の側方に補助脚部を備えてなる雄パーツと、
前記雌パーツの挿入部の基部側においてこの挿入部を回動軸とするようにこの雌パーツに組み合わされた回動パーツとを備え、
この回動パーツには補助脚部の受け部が形成されており、前記留め付け対象物の取付穴に雌パーツの挿入部を挿入させた状態からのこの挿入部内への雄パーツの脚部の押し込みに伴なうこの受け部に対する補助脚部の押圧によって、回動パーツが所定角度分回動されるようになっており、
前記雌パーツの頭部には前記回動パーツに形成された持ち上げ部への被当接部が形成されており、回動パーツの前記回動に伴うこの被当接部に対する持ち上げ部の押圧によって、回動パーツと係合部との距離を狭める向きに雌パーツが移動されるようになっており、
しかも、雄パーツの脚部には、雌パーツの挿入部内に形成された抜け止め部に対して係合される被抜け止め部が、この脚部の押し込み方向において多段をなすように形成してあるものとした。
【０００６】
かかる構成によれば、留め付け対象物の取付穴に雌パーツの挿入部を挿入させてその係合部をこの挿入先側の取付穴の穴縁に係合させるようにした状態から雄パーツの脚部を前記のように押し込むことで、回動パーツと係合部との距離を留め付け対象物の厚さに略一致させるようにすることができ、係合部を備えた弾性片部に影響を与えることなく回動パーツと係合部との間で留め付け対象物をガタなく挟持することができる。
【０００７】
前記回動パーツにおける雌パーツの頭部に向き合う側の面にその回動方向に沿ったリブ状をなす突出部を備えさせると共に、雌パーツの頭部における連通開口の側方にこの突出部を収める貫通穴を形成させ、前記突出部の一端部を受け部とすることが、好ましい態様の一つとされる。この場合には、さらに、前記回動パーツの突出部の他端部を持ち上げ部とし、雌パーツの頭部の貫通穴におけるこの持ち上げ部に向き合った穴縁部を被当接部としておくことが、好ましい。また、この場合には、回動パーツの突出部における受け部及び持ち上げ部を、この回動パーツの回動方向での突出部の長さをこの突出部の先端に向かうに連れて狭める傾斜を備えたカム面によって構成させることが好ましい。
【０００８】
前記回動パーツにおける雌パーツの頭部に向き合う側の面と反対の面に、この回動パーツの回動方向に沿った突条を形成させるようにしておくこともある。このようにした場合、回動パーツは前記突条により留め付け対象物に接触し面的には接触しないことから、かかる回動はスムースになされる。
【０００９】
前記雌パーツの挿入部内に所定位置より先に押し込まれた雄パーツの脚部が弾性片部の内側に接するようにしておけば、かかる脚部によって弾性片部の弾性変形を阻止して留め付け対象物の取付穴に対する係合部の係合状態を安定的に維持することができる。
【発明の効果】
【００１０】
この発明にかかるクリップにあっては、留め付け対象物にガタなく留め付きながら、その留め付け力を経時的にも変化させることがない。
【図面の簡単な説明】
【００１１】
【図１】図１は実施の形態にかかるクリップの分解斜視図である。
【図２】図２は実施の形態にかかるクリップの分解斜視図であり、図１の下側から各部材を見て示している。
【図３】図３は実施の形態にかかるクリップの側面図である。
【図４】図４は図３におけるＡ−Ａ線断面図である。
【図５】図５は実施の形態にかかるクリップの側面図であり、図３と９０度異なる位置からかかるクリップを見て示している。
【図６】図６は図５におけるＢ−Ｂ線断面図である。
【図７】図７は留め付け対象物に仮組状態において雌パーツの挿入部を挿入しきった状態を示した要部破断斜視図（ａ図）及び要部破断側面図（ｂ図）である。
【図８】図８は図７の状態から雄パーツの脚部を雌パーツの挿入部にやや押し込んだ状態を示した要部破断斜視図（ａ図）及び要部破断側面図（ｂ図）である。
【図９】図９は雄パーツの脚部を雌パーツの挿入部に押し込みきった状態を示した要部破断斜視図（ａ図）及び要部破断側面図（ｂ図）である。
【図１０】図１０は図９の状態のクリップを、留め付け対象物の記載を省略して示した断面図である。
【発明を実施するための形態】
【００１２】
以下、図１〜図１０に基づいて、この発明の典型的な実施の形態について、説明する。この実施の形態にかかるクリップは、これを構成する雌パーツＦの挿入部１を留め付け対象物Ｐに形成された取付穴Ｐａに挿入した後、この挿入部１に雄パーツＭの脚部３を押し込むことにより、回動パーツＲと挿入部１に形成された係合部１ｂとの間で留め付け対象物Ｐを挟持してこれに留め付くものである。
【００１３】
かかるクリップは、典型的には、二以上の留め付け対象物Ｐを、かかるクリップを介して留め合わせるために用いられる。図示の例では、かかるクリップによって、留め付け対象物Ｐとしての二枚のパネルを留め合わせている。二枚のパネルにはそれぞれ、雌パーツＦの挿入部１の外郭形状に倣った円形の取付穴Ｐａが貫通状態に設けられている。二枚のパネルを互いの取付穴Ｐａを連通させるようにして重ね合わせるようにした状態から、かかる連通された取付穴Ｐａに雌パーツＦの挿入部１を挿入した後、この挿入部１に雄パーツＭの脚部３を押し込むことで、回動パーツＲと係合部１ｂとの間で二枚のパネルがガタなく挟持されるようになっている。
【００１４】
この実施の形態にかかるクリップは、雌パーツＦと、雄パーツＭと、回動パーツＲとを組み合わせて構成されている。雌パーツＦを合成樹脂の成形品にすれば、この雌パーツＦにおける弾性変形特性を備えるべき部分に、容易にこの特性を付与することができる。
【００１５】
雌パーツＦは、留め付け対象物Ｐに形成された取付穴Ｐａに挿入される中空の挿入部１と、この挿入部１内への連通開口２ａを備えた頭部２とを有すると共に、この挿入部１の一部を外側に前記取付穴Ｐａに対する係合部１ｂを備えた弾性片部１ａとしてなる。頭部２は取付穴Ｐａに入り込まない大きさとなっている。
【００１６】
図示の例では、挿入部１は筒両端を共に開放させた円筒状をなすように構成されている。頭部２は、円盤状をなすように構成されている。頭部２の一面２ｆの中央に挿入部１の筒一端が一体に連接されている。連通開口２ａは頭部２の中央に形成されている。連通開口２ａは、短寸側と長寸側２ｂとを持った長穴状をなすように構成されている。連通開口２ａの側方、図示の例では、連通開口２ａを挟んだ両側にはそれぞれ、頭部２の中心を巡る仮想の円の円弧に沿った長穴状をなす貫通穴２ｃが形成されている。この貫通穴２ｃの両端部の穴内面の一方は、頭部２の他面２ｇ側から一面２ｆ側に向かうに連れて、貫通穴２ｃの長さを大きくする向きに傾斜した傾斜面２ｄとなっており、この傾斜面２ｄが後述の被当接部２ｅとなっている。
【００１７】
挿入部１の直径方向両側にはそれぞれ、挿入部１の筒軸方向に延びる一対の縦割溝１ｄ、１ｄと、この一対の縦割溝１ｄ、１ｄの長さ方向略中程の位置間に亘る前記筒軸に直交する向きの横割溝１ｅとが形成され、一対の縦割溝１ｄ、１ｄ間に前記弾性片部１ａと、補助弾性片部１ｆとが形成されている。弾性片部１ａは挿入部１の筒他端側を基部とし横割溝１ｅの側を自由端とし、補助弾性片部１ｆは挿入部１の筒一端側を基部とし横割溝１ｅの側を自由端としている。
【００１８】
弾性片部１ａの外側には、その自由端側に頂部1ｃを備えた山状をなす係合部１ｂが形成されている。挿入部１の直径方向両側に形成された係合部１ｂの頂部1ｃ間の間隔は前記取付穴Ｐａの穴径よりもやや大きくなっている。
【００１９】
一方、補助弾性片部１ｆの内側であってその自由端には、爪状をなす抜け止め部１ｇが形成されている。
【００２０】
前記取付穴Ｐａに雌パーツＦの挿入部１を挿入すると、弾性片部１ａの係合部１ｂが取付穴Ｐａの穴縁に接して弾性片部１ａは内向きに撓みかかる挿入が許容される。係合部１ｂの頂部1ｃが挿入先側の取付穴Ｐａの穴縁より先に抜け出すと、弾性片部１ａは弾性復帰され、かかる挿入先側の穴縁に係合部１ｂが引っかかる状態が作り出される。（図７（ｂ））
【００２１】
雄パーツＭは、中心に前記雌パーツＦの挿入部１内に前記連通開口２ａを通じて押し込まれる脚部３を備えると共に、この脚部３の側方に補助脚部４を備えてなる。
【００２２】
図示の例では、雄パーツＭは、円板状をなす頭部５を有している。脚部３は、この頭部５の一面の中央に一端を一体に連接させた軸状を呈している。脚部３のその脚軸の直交する向きの断面外郭形状は前記連通開口２ａの穴形状に倣った形状となっており、脚部３はその幅広の側面３ａを連通開口２ａの長寸側に向けた向きでのみこの連通開口２ａから雌パーツＦの挿入部１内に押し込み可能となっている。
【００２３】
脚部３の幅広の両側面３ａ、３ａにはそれぞれ、溝状をなす被抜け止め部３ｂが形成されている。被抜け止め部３ｂは脚部３の押し込み方向において多段をなすように形成してある。図示の例では、被抜け止め部３ｂは脚部３の脚軸方向に隣り合う被抜け止め部３ｂとの間に略等しい間隔を開けて四箇所に形成されている。
【００２４】
補助脚部４は、図示の例では、脚部３を挟んだ両側にそれぞれ形成されている。補助脚部４は、頭部５の中心を巡る方向に板面を沿わせた側板状をなすように構成されている。補助脚部４の基部は頭部５の縁部に一体化されている。補助脚部４の頭部５からの突きだし寸法は脚部３より小さくなっている。補助脚部４は頭部５からの突きだし方向にある側辺４ａの一方は他方よりも小さく、両側辺４ａ、４ａの間には傾斜部４ｂが形成され、補助脚部４はその突きだし端４ｃに向かうに連れて幅狭になるように構成されている。
【００２５】
かかる雄パーツＭと雌パーツＦとは、雄パーツＭの脚部３における最下段の被抜け止め部３ｂに雌パーツＦの抜け止め部１ｇを係合させた状態で、仮組みされるようになっている。（図４）この仮組状態において、雄パーツＭの脚部３は雌パーツＦの挿入部１内には押し込みきられず、雄パーツＭの脚部３はこの仮組状態から最大でその頭部５を雌パーツＦの頭部２に突き合わせる位置まで雌パーツＦの挿入部１内に押し込むことができるようになっている。図示の例では、雌パーツＦの補助弾性片部１ｆは連通開口２ａの長寸側２ｂの直下に位置されていると共に、一対の補助弾性片部１ｆ、１ｆの抜け止め部１ｇ間の距離は、雄パーツＭの脚部３の幅広側の両面３ａ、３ａ間の距離よりもやや小さくさせている。これにより、雄パーツＭの脚部３を雌パーツＦの連通開口２ａを通じて挿入部１内に前記の向きで所定位置まで押し込むと、抜け止め部１ｇを雄パーツＭの脚部３に接しさせる補助弾性片部１ｆは外向きに弾性変形してこの押し込みを許容すると共に、最下段の被抜け止め部３ｂと抜け止め部１ｇとが同じ位置に至ると弾性復帰してこの被抜け止め部３ｂに抜け止め部１ｇが入り込み前記仮組状態が作り出されるようになっている。この仮組状態において、雄パーツＭの脚部３は雌パーツＦの一対の弾性片部１ａ、１ａ間には入り込んでおらず、また、補助脚部４は雌パーツＦの貫通穴２ｃ内にその突きだし端４ｃ側のみを入り込ませるようになっている。（図４、図７）
【００２６】
回動パーツＲは、前記雌パーツＦの挿入部１の基部側においてこの挿入部１を回動軸とするようにこの雌パーツＦに組み合わされている。回動パーツＲは、雌パーツＦの挿入部１の挿通される軸穴６を中央に貫通状態に備えた円板状をなすように構成されている。図示の例では、回動パーツＲにおける前記軸穴６の直径方向両側位置には、この軸穴６に連通した補助穴部７が形成されている。また、回動パーツＲにおける一対の補助穴部７、７間にはそれぞれ、この回動パーツＲにおける雌パーツＦの頭部２に向き合う側において、リブ状をなす突出部８が形成されている。図示の例では、雌パーツＦの挿入部１の係合部１ｂが前記補助穴部７を通過する向きで回動パーツＲの軸穴６に雌パーツＦの挿入部１を通した後に、前記突出部８が雌パーツＦの頭部２の貫通穴２ｃに入り込むように回動パーツＲを回動又は相対的に回動させてこの突出部８を貫通穴２ｃに入り込ませることで、雌パーツＦに回動パーツＲを組み合わせることができるようになっている。かかる突出部８は、回動パーツＲの回動方向に沿ったリブ状を呈している。突出部８の長さは貫通穴２ｃの長さより小さくなっている。具体的には、回動パーツＲは雌パーツＦの頭部２の一面２ｆに突出部８の形成側の面を接しさせるようにして雌パーツＦに組み合わされる。回動パーツＲの軸穴６の内壁には、前記仮組状態において雌パーツＦの挿入部１の外側に形成された突起１１”上でこれに引っかかる突起１１’が設けてあり、後述の所定角度分の回動により両者の引っかかりが解かれるようになっている。
【００２７】
かかる回動パーツＲの突出部８の一端部が後述の受け部８ａとなっている。また、かかる回動パーツＲの突出部８の他端部が後述の持ち上げ部８ｂとなっている。また、この実施の形態にあっては、かかる回動パーツＲの突出部８における受け部８ａ及び持ち上げ部８ｂは、この回動パーツＲの回動方向での突出部８の長さをこの突出部８の先端８ｃに向かうに連れて狭める傾斜を備えたカム面によって構成されている。
【００２８】
また、この実施の形態にあっては、回動パーツＲにおける雌パーツＦの頭部２に向き合う側の面と反対の面（以下、座面９と称する。）に、前記一対の補助穴部７、７間においてそれぞれ、この回動パーツＲの回動方向に沿った突条１０が形成されている。
【００２９】
そして、この実施の形態にかかるクリップでは、前記留め付け対象物Ｐの取付穴Ｐａに雌パーツＦの挿入部１を挿入させた状態からのこの挿入部１内への雄パーツＭの脚部３の押し込みに伴なって、回動パーツＲの突出部８の一端部、つまり受け部８ａを雄パーツＭの補助脚部４が押圧し、これにより回動パーツＲが所定角度分回動されるようになっている。それと共に、この回動パーツＲの回動に伴って雌パーツＦの頭部２の被当接部２ｅを回動パーツＲの持ち上げ部８ｂが押圧し、回動パーツＲと雌パーツＦの前記係合部１ｂとの距離を狭める向きに雌パーツＦが移動されるようになっている。
【００３０】
図示の例では、前記仮組状態において、雄パーツＭの補助脚部４は、雌パーツＦの頭部２の貫通穴２ｃにおける前記被当接部２ｅの形成側と反対の端部側において、その突きだし端４ｃをこの貫通穴２ｃ内に入り込ませるようになっている。この仮組状態において補助脚部４の前記傾斜部４ｂが貫通穴２ｃ内において回動パーツＲの受け部８ａに接するようになっている。（図７）また、この仮組状態において回動パーツＲの持ち上げ部８ｂが雌パーツＦの頭部２の貫通穴２ｃにおける前記被当接部２ｅに接するようになっている。（図７）回動パーツＲの受け部８ａは前記カム面となっていることから、仮組状態において雌パーツＦの挿入部１を留め付け対象物Ｐの取付穴Ｐａに挿入して回動パーツＲと係合部１ｂとの間に留め付け対象物Ｐを挟むようにした状態から雄パーツＭの脚部３を雌パーツＦの挿入部１内に押し込む操作をすると、回動パーツＲは図７における矢印ｘの向きに回動される。回動パーツＲの座面９は前記突条１０により留め付け対象物Ｐに接触し面的には接触しないことから、かかる回動はスムースになされる。回動パーツＲの持ち上げ部８ｂは前記カム面となっていることから、この回動パーツＲの回動により雌パーツＦは取付穴Ｐａから抜け出される向きに移動され、回動パーツＲの座面９と係合部１ｂとの間の距離が狭まる。（図８、さらに図９）前記仮組状態からの雄パーツＭの脚部３の前記押し込みは、補助弾性片部１ｆの弾性変形により許容される。補助弾性片部１ｆの抜け止め部１ｇにおける雌パーツＦの頭部２側に向いた面１ｈは、補助弾性片部１ｆの自由端側に向かうに連れて挿入部１の中心に近づく傾斜を備えており、雄パーツＭの脚部３を押し込み操作するとこの面１ｈの傾斜により補助弾性片部１ｆは被抜け止め部３ｂから抜け止め部１ｇを抜け出させる向きに弾性変形される。雄パーツＭの脚部３のかかる押し込みは、回動パーツＲの座面９と係合部１ｂとの間の距離と留め付け対象物Ｐの厚さとが略一致するまで許容され、この距離と厚さとが略一致した停止位置で補助弾性片部１ｆは弾性復帰して整合する被抜け止め部３ｂに抜け止め部１ｇを入り込ませる。補助弾性片部１ｆの抜け止め部１ｇにおける補助弾性片部１ｆの自由端側にある面１ｉは、挿入部１の筒軸に直交する面となっており、前記停止位置において雄パーツＭの脚部３は雌パーツＦ内から抜け出すことがないようになっている。
【００３１】
この実施の形態にかかるクリップにあっては、留め付け対象物Ｐの取付穴Ｐａに雌パーツＦの挿入部１を挿入させてその係合部１ｂをこの挿入先側の取付穴Ｐａの穴縁に係合させるようにした状態から雄パーツＭの脚部３を前記のように押し込むことで、回動パーツＲと係合部１ｂとの距離を留め付け対象物Ｐの厚さに略一致させるようにすることができ、係合部１ｂを備えた弾性片部１ａに影響を与えることなく回動パーツＲと係合部１ｂとの間で留め付け対象物Ｐをガタなく挟持することができる。また、雄パーツＭの脚部３を前記のように押し込むことで、図７に示されるように複数の留め付け対象物Ｐ同士が密着していない場合にこれらの留め付け対象物同士をクリップを介して密着させて留め付け合わせることができる。（図９）
【００３２】
また、この実施の形態にかかるクリップにあっては、雌パーツＦの挿入部１内に所定位置より先に、図示の例では、前記仮組状態から押し込まれた雄パーツＭの脚部３が弾性片部１ａの内側に接するようになっている。（図１０）これにより、この実施の形態にあっては、このように雄パーツＭの脚部３が押し込まれた状態においては、弾性片部１ａの弾性変形を阻止して留め付け対象物Ｐの取付穴Ｐａに対する係合部１ｂの係合状態を安定的に維持している。
【符号の説明】
【００３３】
Ｆ  雌パーツ
Ｍ  雄パーツ
Ｒ  回動パーツ
１  挿入部
１ｂ  係合部
２  頭部
２ｅ  被当接部
３  脚部
４  補助脚部
８ａ  受け部
８ｂ  持ち上げ部
【図１】
2012180915.tif 000003
【図２】
2012180915.tif 000004
【図３】
2012180915.tif 000005
【図４】
2012180915.tif 000006
【図５】
2012180915.tif 000007
【図６】
2012180915.tif 000008
【図７】
2012180915.tif 000009
【図８】
2012180915.tif 000010
【図９】
2012180915.tif 000011
【図１０】
2012180915.tif 000012